(57)【要約】【課題】当該冷蔵庫以外の家電機器についてのユーザの行動に基づいて、冷却制御を行うことにより、より消費電力を抑制することのできる冷蔵庫等を提供する。【解決手段】冷蔵庫であって、家電機器で調理された貯蔵物の貯蔵物への投入が予測される状態または冷蔵庫のドアが開かれると予測される状態を表す状態情報を取得する状態情報取得手段と、前記状態情報取得手段により取得された前記状態情報に基づいて、前記状態情報に関連付けられた冷蔵庫の冷却制御の内容を表す冷却制御情報を取得する冷却制御情報取得手段と、前記冷却制御情報に基づいて、前記貯蔵室の温度制御を行う温度制御手段と、を有する。【選択図】図４
2019199974.tif 000002
【特許請求の範囲】
【請求項１】
家電機器で調理された貯蔵物の貯蔵室への投入が予測される状態または冷蔵庫のドアが開かれると予測される状態を表す状態情報を取得する状態情報取得手段と、
前記状態情報取得手段により取得された前記状態情報に基づいて、前記状態情報に関連付けられた冷蔵庫の冷却制御の内容を表す冷却制御情報を取得する冷却制御情報取得手段と、
前記冷却制御情報に基づいて、前記貯蔵室の温度制御を行う温度制御手段と、
を有することを特徴とする冷蔵庫。
【請求項２】
前記冷蔵庫は、前記温度制御手段は、前記貯蔵物が貯蔵室に投入されると予想される予想投入時間までに、前記貯蔵室の温度をあらかじめ設定された温度より低くすることを特徴とする請求項１に記載の冷蔵庫。
【請求項３】
前記冷蔵庫は、更に、
蒸発器を除霜する除霜手段を有し、
前記除霜手段は、前記予想投入時間までに前記除霜が終了しない場合には、所定期間経過後に除霜を開始することを特徴とする請求項２に記載の冷蔵庫。
【請求項４】
前記冷却制御情報取得手段は、前記状態情報取得手段により取得された前記状態情報に基づいて、前記状態情報に関連付けられた評価値を順次取得する評価値取得手段と、前記順次取得された評価値の積算スコアを取得する積算スコア取得手段と、を有し、
前記温度制御手段は、前記積算スコアが所定の閾値を超えたと判断した場合に、前記温度制御を行うことを特徴とする請求項１乃至３のいずれかに記載の冷蔵庫。
【請求項５】
家電機器で調理された貯蔵物の貯蔵室への投入が予測される状態または冷蔵庫のドアが開かれると予測される状態を表す状態情報を取得し、
前記状態情報に基づいて、前記状態情報に関連付けられた冷蔵庫の冷却制御の内容を表す冷却制御情報を取得し、
前記冷却制御情報に基づいて、貯蔵室の温度制御を行う、
ことを特徴とする冷蔵庫制御方法。
【請求項６】
家電機器で調理された貯蔵物の貯蔵室への投入が予測される状態または冷蔵庫のドアが開かれると予測される状態を表す状態情報を取得する状態情報取得手段、
前記状態情報取得手段により取得された前記状態情報に基づいて、前記状態情報に関連付けられた冷蔵庫の冷却制御の内容を表す冷却制御情報を取得する冷却制御情報取得手段、
前記冷却制御情報に基づいて、貯蔵室の温度制御を行う温度制御手段としてコンピュータを機能させることを特徴とする冷蔵庫制御プログラム。
【発明の詳細な説明】
【技術分野】
【０００１】
本発明は、冷蔵庫、冷蔵庫制御方法、冷蔵庫制御プログラムに関する。
【背景技術】
【０００２】
下記特許文献１には、冷蔵庫につき、貯蔵室の扉の開閉、ダンパの開閉、及び、圧縮機の駆動時間に関する情報に基づいて、蒸発器の予想着想量を算出し、当該予想着想量が所定の閾値を超えたときに、加熱装置に除霜運転を行わせる冷蔵庫が開示されている。
【先行技術文献】
【特許文献】
【０００３】
【特許文献１】特開２０１６−１９１４９７号公報
【発明の概要】
【発明が解決しようとする課題】
【０００４】
しかしながら、上記冷蔵庫は、冷蔵庫以外の家電機器についてのユーザの行動とは無関係に制御されていることから、効率的な運転をできない場合がある。そこで、本発明は、例えば、当該冷蔵庫以外の家電機器についてのユーザの行動に基づいて、冷却制御を行うことにより、より消費電力を抑制することのできる冷蔵庫等を提供することを目的とする。
【課題を解決するための手段】
【０００５】
本発明の冷蔵庫は、家電機器で調理された貯蔵物の貯蔵室への投入が予測される状態または冷蔵庫のドアが開かれると予測される状態を表す状態情報を取得する状態情報取得手段と、前記状態情報取得手段により取得された前記状態情報に基づいて、前記状態情報に関連付けられた冷蔵庫の冷却制御の内容を表す冷却制御情報を取得する冷却制御情報取得手段と、前記冷却制御情報に基づいて、前記貯蔵室の温度制御を行う温度制御手段と、を有することを特徴とする。
【０００６】
本発明の冷蔵庫制御方法は、家電機器で調理された貯蔵物の貯蔵室への投入が予測される状態または冷蔵庫のドアが開かれると予測される状態を表す状態情報を取得し、前記状態情報に基づいて、前記状態情報に関連付けられた冷蔵庫の冷却制御の内容を表す冷却制御情報を取得し、前記冷却制御情報に基づいて、貯蔵室の温度制御を行う、ことを特徴とする。
【０００７】
本発明の冷蔵庫制御プログラムは、家電機器で調理された貯蔵物の貯蔵室への投入が予測される状態または冷蔵庫のドアが開かれると予測される状態を表す状態情報を取得する状態情報取得手段、前記状態情報取得手段により取得された前記状態情報に基づいて、前記状態情報に関連付けられた冷蔵庫の冷却制御の内容を表す冷却制御情報を取得する冷却制御情報取得手段、  前記冷却制御情報に基づいて、貯蔵室の温度制御を行う温度制御手段としてコンピュータを機能させることを特徴とする。
【図面の簡単な説明】
【０００８】
【図１】第１の実施形態における冷蔵庫システムの一例を示す図である。
【図２】第１の実施形態にかかる冷蔵庫の側面の断面図の一例を示す図である。
【図３】図１に示す家電機器の制御部の機能的構成の一例を示す図である。
【図４】図１に示す冷蔵庫の制御部の機能的構成の一例を示す図である。
【図５】変更温度関連情報の一例を示す図である。
【図６】第１の実施形態における冷蔵庫のフローの一例を示す図である。
【図７】第２の実施形態における冷蔵庫の制御部の機能的構成の一例を示す図である。
【図８】予想投入時間関連情報の一例を示す図である。
【図９】第２の実施形態における冷蔵庫のフローの一例を示す図である。
【図１０】第３の実施形態における制御部の機能的構成について説明するための図である。
【図１１】警告関連情報の一例を示す図である。
【図１２】第３の形態における制御部の機能的構成の一例を示す図である。
【図１３】評価値関連情報の一例を示す図である。
【図１４】第３の実施形態における冷蔵庫のフローの一例を示す図である。
【図１５】第４の形態における制御部の機能的構成の一例を示す図である。
【図１６】対応動作関連情報の一例を示す図である。
【図１７】第４の実施の形態における処理のフローについて説明するための図である。
【発明を実施するための形態】
【０００９】
以下、本発明の第１の実施形態について、図面を参照しつつ説明する。なお、図面については、同一又は同等の要素には同一の符号を付し、重複する説明は省略する。
【００１０】
（第１の実施形態）
【００１１】
図１は、第１の実施形態における冷蔵庫システムの一例を示す図である。図１に示すように、本実施の形態における冷蔵庫システム１００は、冷蔵庫１０１及び当該冷蔵庫１０１とネットワーク１０２を介して接続される１または複数の家電機器１０３を含む。家電機器１０３は、例えば、炊飯器、オーブンレンジ、ジューサ、かき氷器等の調理に関する家電に相当する。ネットワーク１０２は、例えば、インターネットやBluetooth(登録商標)等に相当にする。
【００１２】
次に、本実施の形態に関連する家電機器１０３の構成の一部の一例について説明する。家電機器１０３は、例えば、制御部１１１、記憶部１１２、通信部１１３、操作部１１４を含む。制御部１１１は、例えばＣＰＵ、ＭＰＵ等であって、記憶部１１２に格納されるプログラムに従って各種の情報処理を実行する。記憶部１１２は、例えばフラッシュメモリやＲＡＭ等であって、制御部１１１によって実行されるプログラムや、各種のデータを保持する。また、記憶部１１２は、制御部１１１のワークメモリとしても動作する。通信部１１３は、インターフェース等であって、ネットワーク１０２を介して、外部機器と通信する。操作部１１４は、例えばボタンやタッチパネル等であって、ユーザの指示操作を受け付けて、当該指示操作の内容を制御部１１１に出力する。表示部１１５は、例えば液晶表示パネルや、有機ＥＬ表示パネル等であって、制御部１１１からの指示に応じて情報を表示する。
【００１３】
なお、上記構成は一例であって、家電機器１０３の構成は上記に限定されるものではなく、上記各部の他に家電機器１０３に応じた各構成（例えば、オーブンレンジであれば加熱部等）を有することはいうまでもない。
【００１４】
次に、本実施形態における冷蔵庫１０１の制御部１２１を中心とした主な構成の一部について説明する。冷蔵庫１０１は、上記家電機器１０３と同様に、例えば、制御部１２１、記憶部１２２、通信部１２３、操作部１２４、表示部１２５を含む。なお、制御部１２１、記憶部１２２、通信部１２３、操作部１２４の主な構成は上記家電機器１０３と同様であるので、説明を省略する。また、冷蔵庫１０１は、コンプレッサ１２６、ファン１２７、ダンパ１２８、除霜部１２９、ドア開閉センサ１３０、計時部１３１、再生部１３２等を含み、それぞれ制御部１２１に接続される。なお、コンプレッサ１２６等の詳細については後述する。
【００１５】
上記冷蔵庫システム１００の構成は一例であって、本実施の形態はこれに限定されるものではない。例えば、冷蔵庫１０１におけるファン１２７やダンパ１２８の数は複数であってもよい。なお、例えば、ファン１２７は、後述する冷凍室ファン２０７、冷蔵室ファン２０８に相当する。
【００１６】
次に、図２を用いて本実施形態における冷蔵庫１０１の具体的構成の一例について説明する。図２は、第１の実施形態にかかる冷蔵庫の側面の断面図の一例を示す図である。
【００１７】
冷蔵庫１０１は、例えば、発泡断熱材を充填した断熱箱体２０１を有する。断熱箱体２０１の上部には冷蔵室２０２が設けられている。冷蔵室２０２の下方には、例えば断熱材を充填した仕切壁を介して冷凍室２０３が設けられている。冷凍室２０３の下方には、例えば断熱材を充填した仕切壁を介して野菜室２０４が設けられている。なお、冷蔵室２０２、冷凍室２０３、野菜室２０４の位置関係、サイズ、数等は一例にすぎず、上記に限られるものではない。また、上記冷蔵室２０２、冷凍室２０３、野菜室２０４以外にも所定の温度で貯蔵物を貯蔵する他の貯蔵室を備えるように構成してもよい。
【００１８】
冷凍室２０３は、貯蔵物をあらかじめ設定された温度で冷凍保存するスペースである。冷蔵室２０２は、貯蔵物を冷凍室２０３よりも高温で冷蔵保存し、野菜室２０４は冷蔵室２０２よりも高温に維持して野菜等の貯蔵物を冷蔵保存するためのスペースである。
【００１９】
冷蔵室２０２は、例えば、冷蔵室２０２の左右端でそれぞれ回動可能に支持された一対の扉２１１により開閉される。冷凍室２０３及び野菜室２０４は、例えば、それぞれ収納ケースと一体に形成される引出式の扉２１２、２１３によって開閉される。
【００２０】
冷凍室２０３及び冷蔵室２０２の背面には、ダンパ１２８を介して接続される冷気通路２０５及び冷気流路２０６が設けられている。冷気通路２０５及び冷気流路２０６にはそれぞれ冷気を循環させる冷凍室ファン２０７、冷蔵室ファン２０８が配置される。冷凍室ファン２０７の下方には冷気を発生する蒸発器２０９が配置される。また、蒸発器２０９の下方には蒸発器２０９に付着した霜を取り除く（除霜する）ための除霜部１２９が設けられる。除霜部１２９は、例えばヒータであって、除霜部１２９の上面はヒータカバー２１０で覆われている。ヒータカバー２１０によって、除霜水が除霜部１２９上に滴下することによる除霜部１２９の故障、破損等を抑制する。
【００２１】
冷気通路２０５は、冷凍室２０３の背面に設けられる。そして、冷気通路２０５の下部の一部が野菜室２０４の背面に設けられている。冷気通路２０５は、冷凍室２０３に冷気を吐出する開口である吐出口２１４と、冷凍室２０３から冷気通路２０５に冷気が戻る開口である戻り口２１５とを備えている。冷気流路２０６は、冷蔵室２０２の背面に設けられているとともに、冷気を吐出する開口である吐出口２１６を備えている。断熱箱体２０１には、冷蔵室２０２と野菜室２０４とを接続する通路（図示なし）が設けられている。また、冷気通路２０５は野菜室２０４内に開口し、野菜室２０４から冷気通路２０５に冷気が戻る戻り口２１８を備えている。
【００２２】
野菜室２０４の背面の冷気通路２０５の下方には機械室２１７が設けられている。当該機械室２１７の内部にはコンプレッサ１２６が設置されている。コンプレッサ１２６の駆動によって、コンプレッサ１２６と接続された冷媒配管（図示なし）内を冷媒が流通する。当該冷媒配管を介してコンプレッサ１２６と接続された蒸発器２０９が冷却される。蒸発器２０９は、平板状のフィン（図示なし）を有し、各フィンを冷媒配管が貫通している。そして、複数のフィンの間に空気を流すことで、当該空気が冷却される。
【００２３】
冷凍室ファン２０７を駆動すると上記冷却された冷気が冷気通路２０５内を流通する。冷気通路２０５を流通する冷気は吐出口２１４から冷凍室２０３の内部に吐出される。吐出口２１４から吐出された冷気は、冷凍室２０３の内部を流通して、冷凍室２０３の内部の貯蔵物を冷却し、戻り口２１５から冷気通路２０５に戻る。すなわち、冷気通路２０５の冷気は、冷凍室２０３の内部を循環し、内部の貯蔵物を冷却し（貯蔵物から熱を受け取って昇温されて）冷気通路２０５に戻る。
【００２４】
ダンパ１２８が開いている場合、冷気通路２０５を流通する冷気は冷気流路２０６に流入する。ダンパ１２８が開いている状態で冷凍室ファン２０７及び冷蔵室ファン２０８を駆動することで、上述のように冷凍室２０３を冷気が循環するとともに冷気流路２０６を流通する冷気が吐出口２１６から冷蔵室２０２内に吐出される。そして、吐出口２１６から吐出された冷気が冷蔵室２０２内を流動することで、冷蔵室２０２内の貯蔵物を冷却する。そして、冷蔵室２０２内を流動した冷気は、野菜室２０４に流入し、野菜室２０４の内部を流動して、野菜室２０４内の貯蔵物を冷却した後、戻り口２１８から冷気通路２０５に戻る。
【００２５】
なお、冷気は冷蔵室２０２を流動するときに貯蔵物から熱を奪うため昇温される。そして、その昇温された冷気が野菜室２０４に流入するため、野菜室２０４は冷蔵室２０２よりも高温となる。
【００２６】
なお、上記冷蔵庫１０１の構成は一例であって、本実施の形態にかかる冷蔵庫１０１は上記に限定されるわけではない。例えば、上記においては、冷蔵庫１０１が冷蔵室２０２、冷凍室２０３、野菜室２０４の３の貯蔵室を有する場合について説明したが異なる数の貯蔵室を有するように構成してもよいし、ダンパ１２８やファン１２７についても、上記とは異なる数のダンパ１２８やファン１２７を設けるように構成してもよい。
【００２７】
図３は、図１に示す家電機器の制御部の機能的構成の一例を示す図である。図３に示すように、本実施の形態における家電機器１０３の制御部１１１は、機能的に家電機器側状態情報取得部３０１、家電機器側機器識別情報取得部３０２を含む。
【００２８】
家電機器側状態情報取得部３０１は、例えば、家電機器１０３で調理された後の食品が冷蔵庫１０１の所定の貯蔵室へ投入されることが予想される状態を表す状態情報を取得する。ここで、当該状態情報は、例えば家電機器１０３毎、当該家電機器１０３の調理モード毎に、調理後の食品が投入される状況に対応してあらかじめ設定される。具体的には、例えば、状態情報は、家電機器１０３がオーブンレンジである場合に、作り置きモードや、オーブンレンジでの加熱後に冷蔵庫などで冷却する工程となっている調理レシピでの調理がスタートしたという状態（例えば、ユーザにより作り置きモードが選択され、当該モードでの調理の開始が選択された状態）を表す状態情報ＳＴ１で表される。また、状態情報は、例えば、家電機器１０３が炊飯器である場合には、冷凍用ご飯コースでの炊飯がスタートしたという状態を表す状態情報ＳＴ２で表される。また、状態情報は、その他メニュー機能が搭載されたオーブンレンジでメニュー検索がされた状態や、ＩＨクッキングヒータで通電された状態や、ジューサが通電された状態や、かき氷器が通電された状態や、ネスプレッソ（登録商標）のアプリが開かれアイスコーヒーのメニューが選択された状態等、各識別情報で識別されるようにあらかじめ設定される。
【００２９】
家電機器側機器識別情報取得部３０２は、家電機器１０３を識別する機器識別情報を取得する。具体的には、例えば、当該機器識別情報は、Ａ１、Ａ２等で表される。例えば、オーブンレンジがＡ１で、炊飯器がＡ２で識別される等である。そして、上記取得された状態情報及び機器識別情報は、通信部１２３を介して冷蔵庫１０１に送信される。
【００３０】
図４は、本実施形態における冷蔵庫の制御部の機能的構成の一例を示す図である。図４に示すように、冷蔵庫１０１の制御部１２１は、例えば、機能的に、状態情報取得部４０１、機器識別情報取得部４０２、冷却制御情報取得部４０３、温度制御部４０４を含む。
【００３１】
状態情報取得部４０１は、ネットワーク１０２を介して、家電機器１０３からの状態情報を取得する。具体的には、例えば、家電機器１０３がオーブンレンジである場合に、作り置きモードでの調理がスタートした場合、識別情報ＳＴ１を取得する。
【００３２】
機器識別情報取得部４０２は、家電機器１０３からの機器識別情報を取得する。機器識別情報取得部４０２は、例えば、上記例の場合、Ａ１を取得する。
【００３３】
冷却制御情報取得部４０３は、状態情報に関連付けられた冷蔵庫１０１の冷却制御の内容を表す冷却制御情報を取得する。具体的には、本実施の形態においては、例えば、冷却制御情報は、あらかじめユーザ等に冷却制御情報取得部４０３より設定されている設定温度から変更する変更温度情報を含むものとして以下説明する。冷却制御情報取得部４０３は、状態情報、機器識別情報、及び変更温度関連情報に基づいて、変更温度情報及び貯蔵室識別情報を取得する。例えば、冷却制御情報取得部４０３は、図５に示すように、状態情報、機器識別情報、変更温度情報、及び貯蔵室識別情報が関連付けられた変更温度関連情報を取得する。冷却制御情報取得部４０３は、当該変更温度関連情報に基づいて、取得した状態情報及び機器識別情報に関連付けられた変更温度情報を取得する。上記例の場合、状態情報：ＳＴ１及び機器識別情報：Ａ１に変更温度情報：−２、貯蔵室識別情報：Ｃ１が関連付けられているので、冷却制御情報取得部４０３は、変更温度情報：−２、貯蔵室識別情報：Ｃ１を取得する。ここで、貯蔵室識別情報は、各貯蔵室を識別する情報を表す。具体的には、例えば、変更温度情報が−２であれば、設定温度より２度下げることを表し、また、例えばＣ１が冷凍室を表す等である。
【００３４】
温度制御部４０４は、取得された冷却制御情報に基づいて、貯蔵室の温度制御を行う。具体的には、例えば、温度制御部４０４は、取得された変更温度情報に基づいて、貯蔵室識別情報で識別される貯蔵室をあらかじめ設定されている設定温度から変更するように制御する。より具体的には、例えば、温度制御部４０４は、ファン１２７、ダンパ１２８、コンプレッサ１２６等を制御することにより、あらかじめ設定されている設定温度から変更するように制御するが、ファン１２７、ダンパ１２８、コンプレッサ１２６等による各貯蔵室の温度制御については周知であるので詳細な説明については説明を省略する。上記例の場合、温度制御部４０４は、貯蔵室識別情報：Ｃ１で識別される貯蔵室の設定温度が６℃であらかじめ設定されている場合、変更温度情報が−２であるので、当該貯蔵室の温度が４℃となるように制御する。
【００３５】
図６は、本実施形態における冷蔵庫のフローの一例を示す図である。図６に示すように、状態情報取得部４０１は、家電機器１０３からの状態情報を取得する（Ｓ１０１）。識別情報取得部は、家電機器１０３からの機器識別情報を取得する。（Ｓ１０２）。冷却制御情報取得部４０３は、状態情報、機器識別情報、及び変更温度関連情報に基づいて、変更温度情報及び貯蔵室識別情報を取得する。（Ｓ１０３）。温度制御部４０４は、取得された変更温度情報に基づいて、貯蔵室識別情報で識別される貯蔵室をあらかじめ設定されている設定温度から変更するように制御する。（Ｓ１０４）。なお、本実施の形態は、上記フローに限定されるものではなく、種々の変形が可能である。例えば、Ｓ１０１及びＳ１０２の順序は逆であってもよい。
【００３６】
本実施の形態によれば、例えば、冷蔵庫１０１以外の家電機器１０３についてのユーザの行動（例えば、ユーザの操作等）に基づいて、冷却制御を行うことにより、より消費電力を抑制し得る冷蔵庫１０１及び冷蔵庫システム１００を提供することができる。具体的には、例えば、所定の家電機器１０３で食品投入が予想される状態が開始された場合に、所定の家電機器１０３による調理終了までに対応する貯蔵室の温度をあらかじめ設定された温度から変更することができる。これにより、本実施の形態を用いない場合と比較して、例えば、家電機器１０３での加熱調理が終了した食品を冷蔵庫１０１の貯蔵室に投入する場合において、貯蔵室の温度をあらかじめ設定された温度よりも低くしておくことにより、食品投入後の貯蔵室の温度上昇を抑制することができる。したがって、加熱調理後の食品が投入された場合における貯蔵室内の温度の急激な上昇によるコンプレッサ１２６の回転数が急激に上がることを抑制し、電力の消費を抑制することができる。
【００３７】
本発明は、上記実施の形態に限定されるものではなく、上記実施の形態で示した構成と実質的に同一の構成、同一の作用効果を奏する構成又は同一の目的を達成することができる構成で置き換えてもよい。例えば、上記においては、状態情報、機器識別情報毎に対応する変更温度情報が取得され、当該変更温度情報に基づいて、貯蔵室の温度が変更される場合について説明したが、状態情報、機器識別情報毎に変更後の設定温度（予冷温度）を表す情報が関連付けられており、当該変更後の設定温度を表す情報に基づいて、貯蔵室の温度が変更されるように構成してもよい。また、後述する除霜部１２９の動作に関する第２の実施形態と組み合わせて用いてもよい。更に、後述する予想投入時間情報取得部７０１を設け、予想投入時間までに、対応する貯蔵室の温度をあらかじめ設定された温度よりも低くするように構成してもよい。更に、上記においては状態情報、機器識別情報毎に対応する変更温度情報が関連付けられている場合を例として説明したが、状態情報毎に変更温度情報が関連付けられている構成としてもよい。
【００３８】
（第２の実施形態）
【００３９】
次に、本発明の第２の実施形態を説明する。なお、下記において第１の実施形態と同様である点については説明を省略する。
【００４０】
図７は、本実施の形態における冷蔵庫の制御部の機能的構成の一例について説明するための図である。図７に示すように、本実施の形態における冷蔵庫１０１の制御部１２１は、機能的に、例えば、状態情報取得部４０１、機器識別情報取得部４０２、冷却制御情報取得部４０３、温度制御部４０４、予想投入時間情報取得部７０１、除霜判定部７０２、除霜時間算出部７０３、除霜終了判定部７０４、除霜要否判定部７０５を含む。
【００４１】
上記第１の実施形態と同様に、状態情報取得部４０１は、家電機器１０３からの状態情報を取得する。例えば、状態情報取得部４０１は、状態情報ＳＴ１を取得する。機器識別情報取得部４０２は、家電機器１０３からの機器識別情報を取得する。例えば、機器識別情報取得部４０２は、Ａ１を取得する。
【００４２】
予想投入時間情報取得部７０１は、取得された状態情報及び機器識別情報に基づいて食品が冷蔵庫１０１に投入されると予想される投入時間を表す予想投入時間情報を取得する。具体的には、例えば、予想投入時間情報取得部７０１は、図８に示すように状態情報及び機器識別情報に関連付けられた予想投入時間関連情報を取得する。ここで、予想投入時間関連情報は、例えば、各家電の調理モード毎にあらかじめ統計値等に基づいて設定されており、食品が冷蔵庫１０１に投入されるまでの時間（例えば、９０分）を表す。そして予想投入時間情報取得部７０１は、状態情報、機器識別情報、及び予想投入時間関連情報に基づいて、予想投入時間情報を取得する。具体的には、例えば、図８に示すように、取得されたＳＴ１、Ａ１に９０が関連付けられているので、予想投入時間情報として９０を取得する。そして、予想投入時間情報取得部７０１は、現在時刻と予想投入時間情報とに基づいて、予想投入時刻を取得する。なお、予想投入時間は、家電機器１０３による調理が終了する時間を取得して、その時間に対応するように構成してもよい。また、現在時刻は例えば、時間を計測する計時部１３１から取得される。
【００４３】
除霜判定部７０２は、除霜部１２９が現在除霜しているか否かを判定する。具体的には、例えば、除霜判定部７０２は、除霜部１２９に通電されているか否か等に基づいて、現在除霜しているか否かを判定するように構成する。
【００４４】
除霜時間算出部７０３は、除霜判定部７０２が現在除霜していると判定した場合には、残り除霜時間を算出する。具体的には、除霜時間算出部７０３は、例えば除霜部１２９が除霜を開始した時刻、現在時刻、除霜に要する時間を取得し、除霜に要する除霜時間と現在までの除霜時間（現在時刻から除霜開始時間までの差）との差を求める。ここで、除霜に要する期間である除霜時間は、例えば、冷蔵庫１０１毎にあらかじめ実験等により把握されており、記憶部１２２に記憶されている。例えば、現在時刻が１０時、除霜部１２９が除霜を開始した時間が９時１５分、除霜に要する時間が１時間とすると、現在時刻から除霜開始時間までの差が４５分であるので、残り除霜時間は１５分と算出する。また、除霜に要する時間はあらかじめ実験等に基づいて設定されている。
【００４５】
除霜終了判定部７０４は、算出された残り除霜時間に基づき予想投入時刻までに除霜が終了するか否かを判定する。具体的には、除霜終了判定部７０４は、現在時刻と残り除霜時間とに基づいて、除霜終了時刻を求め、予想投入時刻よりも除霜終了時刻が早い場合には、予想投入時刻までに除霜が終了すると判定する。予想投入時刻までに除霜が終了すると判定された場合、除霜部１２９は、除霜を継続する。例えば、上記例の場合において予想投入時刻が１１時の場合、現在時刻が１０時とすると残り除霜時間１５分が経過する１０時１５分に除霜が終了するので、除霜終了判定部７０４は予想投入時間までに除霜が終了すると判断し、除霜部１２９は、除霜を継続することとなる。
【００４６】
一方、除霜終了判定部７０４は、除霜終了判定部７０４が予想投入時刻までに除霜が終了しないと判断した場合には、除霜部１２９に予想投入時刻までに除霜動作を中断させるよう指示する。そして、所定期間経過後（例えば、調理終了や予想投入時間後５時間等）、除霜部１２９に除霜開始を指示する。これにより、例えば、調理後の冷蔵庫１０１への食品投入時に除霜部１２９が動作することによる更なる温度上昇を防止することができる。なお、上記所定期間は、あらかじめ統計値等により設定されている。
【００４７】
除霜要否判定部７０５は、除霜部１２９が現在除霜していないと判定した場合には、予想投入時刻までに除霜が必要か否かを判定する。ここで、除霜部１２９は、あらかじめ設定されたタイミングで除霜を開始するように設計されている。具体的には、例えば、計時部１３１に、前回除霜してからコンプレッサ１２６が動作した時間を計測させておき、当該時間の和（積算時間）が所定の時間に達した場合に除霜するように設計されている。なお、除霜部１２９の除霜開始タイミングは上記に限定されるものではなく、例えば上記特許文献１に開示のように、コンプレッサ１２６が動作した時間の他、冷蔵庫１０１のドアの開閉回数等にも基づいて除霜動作を開始するように設計されていてもよい。そして、除霜要否判定部７０５は、予想投入時刻までに上記積算時間が所定の時間に達すると判定した場合に、除霜が必要であると判定し、達しないと判定した場合には除霜は不要であると判定する。
【００４８】
除霜要否判定部７０５が、予想投入時刻までに除霜が必要であると判定した場合には、除霜時間算出部７０３は、除霜時間を取得し、除霜終了判定部７０４は、予想投入時刻に除霜が終了するか否かを判定する。例えば、上記のように除霜時間は統計値等により求められているので、除霜部１２９があらかじめ設定されたタイミングで除霜を開始するタイミング（例えば、１０時）から上記除霜時間（例えば、１時間）を経過した時刻（１１時）が、予想投入時刻（例えば、１２時）以前であれば、予想投入時刻に除霜が終了すると判定する。この場合、除霜部１２９はあらかじめ設定されたタイミングで除霜を開始する。なお、この場合、除霜要否判定部７０５が、除霜が必要であると判定したタイミングで除霜を開始するように構成してもよい。そして、除霜部１２９は、除霜終了後に処理を終了する。
【００４９】
一方、除霜要否判定部７０５が、予想投入時刻までに除霜が必要であると判定した場合であって、除霜終了判定部７０４が、予想投入時刻に除霜が終了しないと判定した場合には、除霜部１２９は、除霜開始を延期して、所定期間経過後（例えば、予想投入時刻から５時間後）に除霜を開始するように指示する。そして、除霜部１２９は、除霜終了後に処理を終了する。
【００５０】
図９は、本実施の形態における冷蔵庫１０１のフローの一例を示す図である。図９に示すように、上記第１の実施形態と同様に、状態情報取得部４０１は、家電機器１０３からの状態情報を取得する（Ｓ２０１）。機器識別情報取得部４０２は、家電機器１０３からの機器識別情報を取得する（Ｓ２０２）。予想投入時間情報取得部７０１は、状態情報及び機器識別情報に基づいて予想投入時間を表す予想投入時間情報を取得する（Ｓ２０３）。
【００５１】
除霜判定部７０２は、除霜部１２９が現在除霜しているか否かを判定する（Ｓ２０４）。除霜判定部７０２が、現在除霜していると判定した場合には、除霜時間算出部７０３は、残りの除霜時間を算出する（Ｓ２０５）。除霜終了判定部７０４は、算出された残りの除霜時間に基づき予想投入時刻までに除霜が終了するか否かを判定する（Ｓ２０６）。予想投入時刻までに除霜が終了すると判定した場合には、除霜部１２９は除霜を継続する（Ｓ２０７）。そして、除霜が終了すると処理を終了する。
【００５２】
一方、Ｓ２０６で予想投入時刻までに除霜が終了しないと判定した場合には、除霜手段は予想投入時刻までに除霜を中断する（Ｓ２０８）。除霜部１２９は、予想投入時間終了から所定時間経過後に、除霜を開始する（Ｓ２０９）。そして、除霜が終了すると処理を終了する。
【００５３】
Ｓ２０４で、除霜判定部７０２が、現在除霜していないと判定した場合には、除霜要否判定部７０５は、予想投入時刻までに除霜が必要か否かを判定する（Ｓ２１０）。除霜要否判定部７０５が、予想投入時刻までに除霜が必要であると判定した場合には、除霜時間算出部７０３は、除霜時間を算出する（Ｓ２１１）。除霜終了判定部７０４は、算出された除霜時間に基づき予想投入時刻までに除霜が終了するか否かを判定する（Ｓ２１２）。Ｓ２１２で除霜終了判定部７０４が、予想投入時刻までに除霜が終了すると判定した場合には、あらかじめ設定された時間に除霜を開始する（Ｓ２１３）。そして、除霜が終了すると処理を終了する。Ｓ２１２で、除霜終了判定部７０４が予想投入時刻までに除霜が終了しないと判定した場合には、除霜部１２９は、予想投入時刻から所定時間経過後に、除霜を開始する（Ｓ２１４）。そして、除霜が終了すると処理を終了する。また、Ｓ２１０で、除霜要否判定部７０５は、予想投入時刻までに除霜が必要でないと判定した場合には、Ｓ２１３に進む。なお、本実施の形態は、上記フローに限定されるものではなく、種々の変形が可能である。例えば、Ｓ２０１及びＳ２０２の順序は逆であってもよい。また、例えば、Ｓ２１２で除霜終了判定部７０４が予想投入時刻までに除霜が終了しないと判定した場合であって、現在時刻から除霜時間を経過した時刻が予想投入時刻よりも早い場合には、あらかじめ設定された除霜を開始する時間よりも前に除霜を開始し、予想投入時刻までに除霜が終了するように構成してもよい。
【００５４】
本実施の形態によれば、上記第１の実施形態と同様に、例えば、冷蔵庫１０１以外の家電機器１０３についてのユーザの行動に基づいて、冷却制御を行うことにより、より消費電力を抑制し得る冷蔵庫１０１及び冷蔵庫システム１００を提供することができる。
【００５５】
更に、本実施の形態によれば、例えば、予想投入時刻までに除霜が終了しないと判定した場合には、除霜部１２９は予想投入時刻に除霜動作は行われず、所定期間経過後に除霜を開始するので、予想投入時刻に除霜部１２９が除霜動作することを防止することができる。これにより、除霜動作により、予想投入時刻における除霜動作に基づく温度上昇を抑制することができる。
【００５６】
本発明は、上記実施の形態に限定されるものではなく、上記実施の形態で示した構成と実質的に同一の構成、同一の作用効果を奏する構成又は同一の目的を達成することができる構成で置き換えてもよい。
【００５７】
具体的には、例えば、下記変形例のように構成してもよい。図１０は、第２の実施形態の変形例における制御部１２１の機能的構成について説明するための図である。図１０に示すように、本変形例においては、例えば、更に、警告情報取得部７０６、警告部７０７を有する。
【００５８】
警告情報取得部７０６は、機器識別情報と状態情報と警告情報とが関連付けられた警告関連情報を取得する。警告関連情報は、例えば、図１１に示すように、状態情報と警告情報が関連づけられている。そして、警告情報取得部７０６は、取得された状態情報と警告情報に基づいて、当該状態情報と警告情報に関連づけられた警告情報を取得する。
【００５９】
ここで、警告情報は、例えば出来上がった料理をすぐに冷蔵庫１０１に入れないように警告する情報を表示部１２５に表示するための識別情報（例えばＷ１）、または、音声で示すための識別情報（例えばＷ２）や、冷気戻り口付近へ調理後の食品を置くことをユーザに表示するための情報（例えばＷ３）を含む。
【００６０】
警告部７０７は、当該警告情報に基づいて、表示部１２５に表示または再生部１３２に音声を再生等させる。この場合、ユーザが警告に従うことにより、食品投入による冷蔵庫１０１温度の上昇を抑制することができる。より具体的には、例えば、冷気の戻り口２１５付近へ置くことをユーザに表示する場合であれば、冷気の戻り口２１５であれば当該食品による昇温された空気の当該貯蔵室内への影響が少ないことから、食品投入による当該貯蔵室の温度の上昇を抑制することができる。なお、上記において冷気の戻り口２１５付近の位置情報をあらかじめ記憶しておき、冷気の戻り口２１５付近のスペースを表示部１２５に表示するように構成してもよい。
【００６１】
また、警告情報は、例えば、切り替え室などの急速冷凍スペースを使用する予定か否かをユーザに入力させるための情報、急速冷凍スペースを使用する場合には当該スペースの空きがあるかを表示または音声等で示すための情報を含むように構成してもよい。なお、例えば、これらの警告情報も同様に識別情報で識別されて記憶されている。警告部７０７は、かかる情報を表示部１２５や再生部１３２に表示または再生等させる。この場合、ユーザに急速冷凍スペースの使用を促し、ユーザが使用することにより、冷蔵庫１０１の冷却効率を向上させることができる。
【００６２】
なお、上記変形例は、例えば、上記第２の実施形態との組み合わせ以外にも、第１の実施形態等と組み合わせる等、上記に限定されるものではない。
【００６３】
（第３の実施形態）
【００６４】
次に、本発明の第３の実施形態について説明する。なお、下記において上記第１及び第２の実施形態等と同様である点については説明を省略する。
【００６５】
図１２は、本実施の形態における制御部の機能的構成の一例を示す図である。図１２に示すように、本実施の形態における冷蔵庫１０１の制御部１２１は、例えば、評価値情報取得部８０１、積算スコア取得部８０２、評価値判定部８０３、温度制御部４０４を含む。なお、評価値情報取得部８０１、積算スコア取得部８０２、評価値判定部８０３が特許請求の範囲における冷却制御手段に相当する。
【００６６】
評価値情報取得部８０１は、状態情報、機器識別情報、及び、評価値関連情報に基づいて、評価値を取得する。評価値関連情報においては、例えば、図１３に示すように、状態情報、機器識別情報、評価値が関連付けられている。ここで、図１３においては、Ａ１はオーブンレンジを表し、Ａ２は炊飯器を表す。また、ＳＴ４は、作り置きモードの設定画面を１分以上開いていることを示し、ＳＴ１は作り置きモードで調理をスタートしている状態を示す。また、ＳＴ５は冷凍用ご飯コースの炊飯がスタートした状態を示す。そして、各状態情報及び機器識別情報に、評価値として、図１３の上方の行から順に、２、５等が関連付けられている。評価値情報取得部８０１は、例えば、状態情報取得部４０１によりＡ１、機器識別情報取得部４０２によりＳＴ４が取得された場合、Ａ１、ＳＴ４に評価値２が関連付けられているので、評価値情報取得部８０１は、評価値２を取得する。
【００６７】
積算スコア取得部８０２は、順次評価値情報取得部８０１で取得された評価値の積算スコアを求める。具体的には、例えば、積算スコア取得部８０２は、評価値が取得される毎に、評価値の積算スコアを求める。つまり、例えば、評価値として、評価値情報取得部８０１により、２が取得され、次に５が取得された場合、積算スコア取得部８０２は、積算スコアとして７を取得する。ここで、積算スコアは、例えば、評価値情報取得部８０１により順次取得された評価値の和であってもよいし、下記数１で表される平滑移動平均であってもよい。
【数１】
2019199974.tif 000003
【００６８】
評価値判定部８０３は、積算スコア取得部８０２で求められた積算スコアが所定の閾値を超えたか否かを判定する。例えば、積算スコアが評価値の和であり、閾値が３と設定されている場合で、積算スコア７が取得された場合においては、所定の閾値を超えたと判定する。
【００６９】
評価値判定部８０３が、積算スコアが所定の閾値を超えたと判定した場合には、温度制御部４０４は、あらかじめ設定された温度制御（予冷制御）を行う。当該温度制御は、例えば、貯蔵室毎の温度制御である。
【００７０】
ここで、当該温度制御は、例えば、あらかじめ設定された温度より冷凍室２０３の温度を下げる（例えば、ユーザ設定温度から−２１℃に設定する）温度制御を含む。冷凍室２０３は短時間では冷却することができず、また冷凍室２０３の温度が食品の投入などで上昇してしまった後に設定温度まで冷却するためには大きな電力を必要とする。そこで、予想投入時刻前にあらかじめ冷凍室２０３を冷却しておくことで、投入してから冷却する場合と比較して、消費電力の消費を抑制することができる。特に、本実施の形態では、家電機器１０３から取得した評価値の積算スコアに基づいて予冷制御を行うため、ユーザが食品を投入する予想投入時刻よりも前からゆっくりと温度を下げる（予冷する）ことが可能となり、予冷に必要な消費電力を抑制できる。
【００７１】
また、この場合、冷蔵室２０２についても予冷を開始（例えば、ユーザ設定温度から１℃に設定する）するように構成してもよい。なお、冷蔵室の場合は、凍結防止のため、予冷制御の時間を計測しておき、所定の期間（例えば２時間）のみ予冷を行うように構成してもよい。
【００７２】
図１４は、本実施の形態における冷蔵庫のフローの一例を示す図である。図１４に示すように、状態情報取得部４０１は、家電機器１０３からの状態情報を取得する（Ｓ３０１）。機器識別情報取得部４０２は、家電機器１０３からの機器識別情報を取得する（Ｓ３０２）。評価値情報取得部８０１は、状態情報、機器識別情報、及び、評価値関連情報に基づいて、評価値を取得する（Ｓ３０３）。積算スコア取得部８０２は、評価値情報取得部８０１で取得された評価値の積算スコアを求める（Ｓ３０４）。評価値判定部８０３は、積算スコア取得部８０２で求められた積算スコアが所定の閾値を超えたか否かを判定する（Ｓ３０５）。評価値判定部８０３が、積算スコアが所定の閾値を超えたと判定した場合には、温度制御部４０４はあらかじめ設定された温度制御（予冷制御）を行う（Ｓ３０６）。一方、積算スコアが所定の閾値を超えていないと判定した場合には、Ｓ３０１に戻る。なお、本実施の形態は、上記フローに限定されるものではなく、種々の変形が可能である。例えば、Ｓ３０１及びＳ３０２の順序は逆であってもよい。
【００７３】
本実施の形態によれば、他の実施形態と同様に、例えば、冷蔵庫１０１以外の家電機器１０３についてのユーザの行動に基づいて、冷却制御を行うことにより、より消費電力を抑制し得る冷蔵庫１０１及び冷蔵庫システム１００を提供することができる。また、本実施の形態によれば、冷蔵庫１０１以外の家電機器１０３についてのユーザの行動に評価値を関連付けることで、より緻密な冷却制御を行うことが可能となり得、更なる消費電力の抑制を図り得る。
【００７４】
本発明は、上記実施の形態に限定されるものではなく、種々の変形が可能である。例えば、上記においては、積算スコアが所定の閾値を超えたと判定した場合に、予冷制御を行う場合について説明したが、上記第１の実施形態と同様に、積算スコアが所定の閾値を超えたと判定した場合に、変更温度情報を取得し（Ｓ１０３）、当該変更温度情報に基づき、温度制御を行う（Ｓ１０４）ように構成してもよい。
【００７５】
また、次に説明する種々の変形例のように構成してもよい。第１の変形例においては、温度制御部４０４は、評価値判定部８０３が、積算スコアが所定の閾値を超えたと判定した場合に、予想投入時刻前に冷蔵室２０２の温度をあらかじめ設定された温度より下げるよう制御する。つまり、冷蔵室２０２の予冷制御を行う。この場合、温度制御部４０４は、冷凍室２０３に食品が投入されたことを検出した際に、冷蔵室２０２の冷却を止める。これにより、食品投入時から所定期間は、冷蔵室２０２の冷却を止めたとしても冷蔵室２０２の温度を所定の低温に保つことができるとともに、冷凍室２０３を優先的に冷却することができる。なお、冷凍室２０３に食品が投入されたことの検出は、例えば、冷凍室２０３のドアの開閉を検出するドア開閉センサ１３０により行う。
【００７６】
第２の変形例においては、温度制御部４０４は、評価値判定部８０３が、積算スコアが所定の閾値を超えたと判定した場合であって、調理に所定時間以上かかると予測された場合に、調理終了の所定時間前までに冷凍室２０３のみを設定温度よりも低い温度に制御するように構成する。これにより、食品投入時の冷凍室２０３の温度上昇を抑制することができ、消費電力を減少させることができる。また、温度制御部４０４は、調理に所定時間（例えば３時間）以上かかると予測される場合に、調理終了の所定時間前（例えば３時間前）から設定温度よりも低い温度となるように温度制御するように構成してもよい。これにより、積算スコアが所定の閾値を超えたと判定した直後から冷凍室２０３等を設定温度よりも低く温度制御する場合と比較して、消費電力を減少させることができ得る。また、この場合冷蔵室２０２の凍結を防止し得る。なお、調理にかかると予想される時間は、例えば、あらかじめ統計値により求めておき、状態情報及び機器識別情報に関連付けて記憶しておき、状態情報及び機器識別情報に基づいて取得される。
【００７７】
第３の変形例においては、評価値判定部８０３が、積算スコアが所定の閾値を超えたと判定した場合に、除霜部１２９が除霜を開始するように構成する。これにより、食品投入時に除霜部１２９の除霜動作が行われることを抑止し得る。
【００７８】
第４の変形例においては、評価値判定部８０３が、積算スコアが所定の閾値を超えたと判定した場合に、上記第２の実施形態と同様に、Ｓ２０４乃至Ｓ２１４の除霜処理のフローを行うように構成する。また、調理開始すると推定されるタイミングで、上記第２の実施形態と同様に、Ｓ２０４乃至Ｓ２１４の除霜処理のフローを行うように構成してもよい。ここで、調理開始のタイミングの推定は、例えば、機器識別情報及び状態情報毎に調理開始のタイミングが関連付けられて記憶されており、機器識別情報及び状態情報に基づいて調理開始のタイミングが推定されるように構成する。
【００７９】
第５の変形例においては、評価値判定部８０３は、第１の閾値及び第２の閾値を超えたか否かを判定し、第１の閾値を超えたと判定した場合に、上記第４の変形例と同様に、Ｓ２０４乃至Ｓ２１４の除霜処理のフローを行い、その後第２の閾値を超えたと判定した場合に、上記第２の変形例の予冷制御を行うように構成する。
【００８０】
本発明は、上記各実施形態や各変形例に限定されるものではなく、上記各実施形態及び各変形例は、互いに矛盾しない限り、組み合わせて用いてもよい。また、上記各実施形態及び各変形例においては、凍結防止のため、冷蔵室２０２等凍結が好ましくない貯蔵室の予冷制御について所定の期間制限（例えば、最長２時間等）を設けるように構成してもよい。更に、各変形例においては、冷凍室２０３及び冷蔵室２０２の予冷制御について説明したが、野菜室２０４等その他の貯蔵室にも適用してもよい。
【００８１】
（第４の実施形態）
【００８２】
次に、本発明の第４の実施形態について説明する。なお、下記において上記第１乃至第３の実施形態等と同様である点については説明を省略する。図１５は、第４の形態における制御部１２１の機能的構成の一例を示す図である。図１５に示すように、第４の実施形態における制御部１２１は、機能的に、冷却制御情報取得部９０２を含む。
【００８３】
第１の実施形態と同様に、状態情報取得部４０１は、家電機器１０３からの状態情報を取得する。また、機器識別情報取得部４０２は、家電機器１０３からの機器識別情報を取得する。
【００８４】
冷却制御情報取得部９０２は、取得された状態情報及び機器識別情報に基づき、ファン１２７、ダンパ１２８、コンプレッサ１２６等の動作を表す冷却制御情報（本実施の形態では対応動作情報と称する）を取得する。具体的には、例えば、図１６に示すように、冷却制御情報取得部９０２は、状態情報、機器識別情報、及び対応動作情報が関連付けられた対応動作関連情報を取得する。そして、冷却制御情報取得部９０２は、取得された状態情報及び機器識別情報に基づいて、温度制御部４０４の動作を表す対応動作情報を取得する。ここで、対応動作関連情報としては、図１６に示すように、例えば、状態情報が、炊飯調理がスタートしたことを表すＳＴ２、機器識別情報が炊飯器を表すＡ２に対して、例えば、次のような対応動作を識別する対応動作情報：Ｄ１を取得する。例えば、対応動作情報に応じて、計時部１３１で状態情報取得部４０１により状態情報が取得されてから所定期間（例えば５分間）を計時し、当該期間、後述するファン制御部９０３はファン１２７を停止するとともに、後述するダンパ制御部９０４はダンパ１２８を閉じて、貯蔵室への冷気の吐出を止める。そして、計時部１３１が当該所定期間（例えば５分間）を計時した場合には、計時部１３１はその後所定期間（３０分間）を計時し、当該所定期間（３０分間）、ダンパ制御部９０４はダンパ１２８を半開とする、または、ファン制御部９０３はファン１２７の回転数をあらかじめ設定された回転数よりも下げる等で、貯蔵室への冷気の吐出量を低減する。なお、本実施の形態においては、状態情報は、冷蔵庫１０１のドアが開かれると予測される状態を表し、例えば、キッチンで食事の準備が開始されることが予測される状態情報（上記の他、オーブンレンジで冷凍食材の解凍が終了した場合）等であってもよい。
【００８５】
温度制御部４０４は、ファン制御部９０３、ダンパ制御部９０４、及びコンプレッサ制御部９０５を含む。ファン制御部９０３は、ファン１２７の動作を制御する。ダンパ制御部９０４は、ダンパ１２８の開閉を制御する。コンプレッサ制御部９０５は、コンプレッサ１２６の回転数等を制御する。そして、温度制御部４０４は、取得された対応動作情報に応じて、ファン１２７、ダンパ１２８、コンプレッサ１２６の動作を制御する。具体的には、例えば、上記対応動作情報としてＤ１が取得された場合、対応動作情報に応じて、計時部１３１で状態情報が取得されてから所定期間（例えば５分間）を計時し、当該期間ファン制御部９０３はファン１２７を停止するとともに、ダンパ制御部９０４はダンパ１２８を閉じて、貯蔵室への冷気の吐出を止める。そして、計時部１３１が当該所定期間（例えば５分間）を計時した場合には、計時部１３１は更にその後所定期間（３０分間）を計時し、当該所定期間、ダンパ制御部９０４はダンパ１２８を半開とする、または、ファン制御部９０３はファン１２７の回転数をあらかじめ設定された回転数よりも下げる等で、貯蔵室への冷気の吐出量を低減する。
【００８６】
次に、本実施の形態における処理のフローについて説明する。図１７は、本実施の形態における処理のフローについて説明するための図である。
【００８７】
図１７に示すように、状態情報取得部４０１は、家電機器１０３からの状態情報を取得する（Ｓ４０１）。また、機器識別情報取得部４０２は、家電機器１０３からの機器識別情報を取得する（Ｓ４０２）。冷却制御情報取得部９０２は、取得された状態情報及び機器識別情報に基づき、ファン１２７、ダンパ１２８、コンプレッサ１２６等の動作を表す対応動作情報を取得する（Ｓ４０３）。
【００８８】
温度制御部４０４は、Ｓ４０３で取得された対応動作情報に応じて、ファン１２７等を制御する（Ｓ４０４）。そして処理を終了する。
【００８９】
本発明は、上記フローに限定されるものではなく、種々の変形が可能である。例えば、上記において、Ｓ４０１とＳ４０２等の順序は逆であってもよい。
【００９０】
本実施の形態によれば、例えば、他の実施形態等と同様に、冷蔵庫１０１以外の家電機器１０３についてのユーザの行動に基づいて、冷却制御を行うことにより、より消費電力を抑制し得る冷蔵庫１０１及び冷蔵庫システム１００を提供することができる。更に、本実施の形態によれば、ドアが開かれた際の対応する貯蔵室からの冷気の流出量をより抑制することが可能となり得る。具体的には、例えば、ドアが開かれると予想される状況において、上記対応動作情報に基づいて冷蔵庫のファン等の動作を制御することにより、当該ドアに対応する貯蔵室からの冷気の流出量を抑制し得る。
【００９１】
本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。例えば、ドア開閉センサ１３０からドアが開かれたことを表すドア開情報を取得するドア開情報取得部を設け、ドア開情報が取得された場合に、対応動作情報に応じて、冷蔵庫のファン等を動作させるように構成してもよい。これにより、ドアが開かれた際の対応する貯蔵室からの冷気の流出量を抑制することができる。
【００９２】
例えば、本実施の形態は、互いに矛盾しない限り、上記第１乃至第３の実施形態や上記各変形例と組み合わせて用いてもよい。また、例えば、ユーザの行動に基づく状態情報をその位置情報とともに、他のユーザと共有できるように構成してもよい。これにより、例えば、状態情報が、ユーザが利用する生協の車が倉庫を出たという情報である場合に、位置情報が所定の範囲内におけるユーザ及び他のユーザの冷蔵庫１０１の予冷を開始する等の動作を、上記各実施形態等に基づいて、行わせることができる。また、位置情報が共有されている場合に、共有メンバが新しい店で冷凍食品を大量購入したという状態情報が取得された場合に、共有メンバの冷蔵庫１０１の予冷を開始する等の動作を、上記各実施形態等に基づいて行わせることができる。なお、特許請求の範囲における冷蔵庫は冷蔵庫システム１００を含む。更に、特許請求の範囲における調理は、例えば、ジューサでの運転、クッキングヒータの運転など各家電が目的とする動作や運転等を含む。また、特許請求の範囲における第１の貯蔵室と第２の貯蔵室は、例えば、それぞれ冷凍室２０３と冷蔵室２０２に相当する。
【符号の説明】
【００９３】
１００  冷蔵庫システム、１０１  冷蔵庫、１０２  ネットワーク、１０３  家電機器、  １１１，１２１  制御部、１１２，１２２  記憶部、１１３，１２３  通信部、１１４，１２４  操作部、１１５，１２５  表示部、１２６  コンプレッサ、１２７  ファン、１２８  ダンパ、１２９  除霜部、１３０  ドア開閉センサ、１３１  計時部、１３２  再生部、２０１  断熱箱体、２０２  冷蔵室、２０３  冷凍室、２０４  野菜室、２０５  冷気通路、２０６ 冷気流路、２０７  冷凍室ファン、２０８  冷蔵室ファン、２０９  蒸発器、２１０  ヒータカバー、２１１，２１２，２１３  扉、２１４，２１６  吐出口、２１５，２１８  戻り口、２１７  機械室、３０１  家電機器側状態情報取得部、３０２  家電機器側機器識別情報取得部、４０１  状態情報取得部、４０２  機器識別情報取得部、４０３  冷却制御情報取得部、４０４  温度制御部、７０１  予想投入時間情報取得部、７０２  除霜判定部、７０３  除霜時間算出部、７０４  除霜終了判定部、７０５  除霜要否判定部、７０６  警告情報取得部、７０７  警告部、８０１  評価値情報取得部、８０２  積算スコア取得部、８０３  評価値判定部、９０２  冷却制御情報取得部、９０３  ファン制御部、９０４  ダンパ制御部、９０５  コンプレッサ制御部
【図１】
2019199974.tif 000004
【図２】
2019199974.tif 000005
【図３】
2019199974.tif 000006
【図４】
2019199974.tif 000007
【図５】
2019199974.tif 000008
【図６】
2019199974.tif 000009
【図７】
2019199974.tif 000010
【図８】
2019199974.tif 000011
【図９】
2019199974.tif 000012
【図１０】
2019199974.tif 000013
【図１１】
2019199974.tif 000014
【図１２】
2019199974.tif 000015
【図１３】
2019199974.tif 000016
【図１４】
2019199974.tif 000017
【図１５】
2019199974.tif 000018
【図１６】
2019199974.tif 000019
【図１７】
2019199974.tif 000020